(57)【要約】【課題】状況に応じて、端末装置に対して通信機会を適切に割り当てること。【解決手段】端末装置と無線で通信する基地局装置は、第１の端末装置との通信のためにそれぞれ時間的に連続した１つ以上の第１の無線リソースを割り当てている場合であって、その第１の端末装置との通信より優先すべき第２の端末装置の通信が要求された場合に、１つ以上の第１の無線リソースに含まれる第２の無線リソースにおいて、第１の端末装置との通信を行わずに第２の端末装置との通信を行う。【選択図】  図２
2020036115.tif 000002
【特許請求の範囲】
【請求項１】
端末装置と無線で通信する通信手段と、
第１の端末装置との通信のためにそれぞれ時間的に連続した１つ以上の第１の無線リソースを割り当てている場合であって、前記第１の端末装置との通信より優先すべき第２の端末装置の通信が要求された場合に、前記１つ以上の第１の無線リソースに含まれる第２の無線リソースにおいて、前記第１の端末装置との通信を行わずに前記第２の端末装置との通信を行うように前記通信手段を制御する制御手段と、
を有することを特徴とする基地局装置。
【請求項２】
前記制御手段は、前記１つ以上の第１の無線リソースのうち前記第１の端末装置から前記基地局装置へ信号を送信するために割り当てられる第３の無線リソースにおいて、前記第２の端末装置が信号を送信しないように、前記第２の端末装置へ信号を送信するのに用いる第４の無線リソースを割り当てる、
ことを特徴とする請求項１に記載の基地局装置。
【請求項３】
前記第１の端末装置との間の通信は、信号の繰り返し送信を用いて行われ、
前記制御手段は、前記１つ以上の第１の無線リソースのうち前記第１の端末装置から前記基地局装置へ信号を送信するために割り当てられる第３の無線リソースの一部において前記第１の端末装置からの信号の受信に成功した場合、前記第３の無線リソースのうちの前記一部においては前記第２の端末装置が信号を送信しないように、かつ、前記第３の無線リソースのうち他の一部においては前記第２の端末装置が信号を送信することを許容するように、前記第２の端末装置へ信号を送信するのに用いる第４の無線リソースを割り当てる、
ことを特徴とする請求項１又は２に記載の基地局装置。
【請求項４】
前記第２の端末装置が前記第３の無線リソースのうち前記他の一部において信号を送信した場合に、前記第１の端末装置から送信され受信に成功した信号の成分を、前記通信手段によって受信した受信信号から除去する除去手段をさらに有する、
ことを特徴とする請求項３に記載の基地局装置。
【請求項５】
前記１つ以上の第１の無線リソースのうち前記基地局装置から前記第１の端末装置へ信号を送信するために割り当てられる第５の無線リソースのうち、前記第４の無線リソースと異なる無線リソースにおいて、前記第１の端末装置へ信号を送信するように前記通信手段を制御する、
ことを特徴とする請求項２から４のいずれか１項に記載の基地局装置。
【請求項６】
前記制御手段は、要求された通信が、前記１つ以上の第１の無線リソースが割り当てられている前記第１の端末装置との通信より優先されるべきか否かを判定する判定手段を含む、
ことを特徴とする請求項１から５のいずれか１項に記載の基地局装置。
【請求項７】
前記判定手段は、前記要求された通信が、緊急呼である場合と、リアルタイム通信である場合と、許容遅延を超えている場合との少なくともいずれかの場合に、前記１つ以上の第１の無線リソースが割り当てられている前記第１の端末装置との通信より優先されるべきと判定する、
ことを特徴とする請求項６に記載の基地局装置。
【請求項８】
前記制御手段は、前記第１の端末装置との間の通信が信号の繰り返し送信を用いて行われる場合に前記制御を行い、前記第１の端末装置との間の通信が信号の繰り返し送信を用いずに行われる場合に前記制御を行わない、
ことを特徴とする請求項１から７のいずれか１項に記載の基地局装置。
【請求項９】
端末装置と無線で通信する通信手段を有する基地局装置の制御方法であって、
制御手段が、第１の端末装置との通信のためにそれぞれ時間的に連続した１つ以上の第１の無線リソースを割り当てている場合であって、前記第１の端末装置との通信より優先すべき第２の端末装置の通信が要求された場合に、前記１つ以上の第１の無線リソースに含まれる第２の無線リソースにおいて、前記第１の端末装置との通信を行わずに前記第２の端末装置との通信を行うように前記通信手段を制御する制御工程を有する、
ことを特徴とする制御方法。
【請求項１０】
端末装置と無線で通信する通信手段を有する基地局装置に備えられたコンピュータに、
第１の端末装置との通信のためにそれぞれ時間的に連続した１つ以上の第１の無線リソースを割り当てている場合であって、前記第１の端末装置との通信より優先すべき第２の端末装置の通信が要求された場合に、前記１つ以上の第１の無線リソースに含まれる第２の無線リソースにおいて、前記第１の端末装置との通信を行わずに前記第２の端末装置との通信を行うように前記通信手段を制御させる、
ためのプログラム。
【発明の詳細な説明】
【技術分野】
【０００１】
本発明は、無線リソース割当制御に関する。
【背景技術】
【０００２】
第３世代パートナーシッププロジェクト（３ＧＰＰ）では、低消費電力かつ通信可能エリアの広い通信を志向して、各チャネルの信号を繰り返し送信することによってカバレッジエリアを拡大するＣＥ  ｍｏｄｅ（Ｃｏｖｅｒａｇｅ  Ｅｎｈａｎｃｅｍｅｎｔ  ｍｏｄｅ）が導入されている（非特許文献１参照）。
【先行技術文献】
【非特許文献】
【０００３】
【非特許文献１】３ＧＰＰ  ＴＳ３６．２１１  Ｖ１３．２．０、２０１６年６月
【発明の概要】
【発明が解決しようとする課題】
【０００４】
基地局装置と１つの端末装置との間で繰り返し送信による通信が行われる場合、時間的に連続する無線リソースがその通信のために割り当てられる。ここで、繰り返し送信の回数が増大すると、連続して割り当てられる無線リソースの数も増大する。このため、１つの端末装置との通信のために、非常に長い時間にわたって無線リソースが占有され、他の端末装置が通信できなくなる場合があるという課題があった。
【０００５】
本発明はかかる課題に鑑みなされたものであり、状況に応じて、端末装置に対して通信機会を適切に割り当てる技術を提供する。
【課題を解決するための手段】
【０００６】
本発明の一態様による基地局装置は、端末装置と無線で通信する通信手段と、第１の端末装置との通信のためにそれぞれ時間的に連続した１つ以上の第１の無線リソースを割り当てている場合であって、前記第１の端末装置との通信より優先すべき第２の端末装置の通信が要求された場合に、前記１つ以上の第１の無線リソースに含まれる第２の無線リソースにおいて、前記第１の端末装置との通信を行わずに前記第２の端末装置との通信を行うように前記通信手段を制御する制御手段と、を有する。
【発明の効果】
【０００７】
本発明によれば、状況に応じて、端末装置に対して通信機会を適切に割り当てることができる。
【図面の簡単な説明】
【０００８】
【図１】無線通信システムの構成例を示す図である。
【図２】無線リソースの割り当ての例を示す図である。
【図３】無線リソースの割り当ての例を示す図である。
【図４】基地局装置のハードウェア構成例を示す図である。
【図５】基地局装置の機能構成例を示す図である。
【図６】基地局装置が実行する処理の流れの例を示す図である。
【発明を実施するための形態】
【０００９】
以下、本発明の実施の形態について図面を参照しながら説明する。
【００１０】
（システム構成）
本実施形態に係る無線通信システムの構成例を図１に示す。本無線通信システムは、一例において、基地局装置１０１、第１の端末装置１０２、及び第２の端末装置１０３を含んで構成される。なお、図１では、説明を簡単にするために１つの基地局装置及び２つの端末装置を含む例を示しているが、無線通信システムは、通常のセルラ通信システムのように、多数の基地局装置及び多数の端末装置を含みうる。また、以下では、第１の端末装置１０２をＵＥ  Ａと呼び、第２の端末装置１０３をＵＥ  Ｂと呼ぶ場合がある。
【００１１】
本無線通信システムは、３ＧＰＰで規定されるＭＴＣ（Ｍａｃｈｉｎｅ  Ｔｙｐｅ  Ｃｏｍｍｕｎｉｃａｔｉｏｎ）を少なくとも利用可能であり、上述のＣＥ  ｍｏｄｅを用いてカバレッジを拡張した通信を実行可能であるものとする。すなわち、本無線通信システムは、ＭＴＣ用の周波数帯域（６リソースブロック分の周波数帯域）を用いて、基地局装置１０１とＵＥ  Ａ又はＵＥ  Ｂとの間で、信号を繰り返し送信することにより所定の無線品質（例えばＳＩＲ（信号対干渉電力比）＝３ｄＢ）での通信を実行可能とするように構成される。なお、ここでの繰り返し送信は、３ＧＰＰで規定されているＲｅｐｅｔｉｔｉｏｎのことを指すが、これ以外の繰り返し送信技術が用いられてもよい。以下では、本無線通信システムでＭＴＣによる通信を行うものとするが、これ以外の低電力で広いカバレッジを提供可能な任意のシステムでの通信が行われてもよい。
【００１２】
また、ＵＥ  Ａ及びＵＥ  Ｂは、ハーフデュプレクス方式を採用し、下りリンク（基地局装置１０１からＵＥ  ＡやＵＥ  Ｂへの方向の無線リンク）での通信と上りリンク（ＵＥ  ＡやＵＥ  Ｂから基地局装置１０１の方向の無線リンク）での通信とを、時間的に切り替えて実行する。すなわち、下りリンクでの通信時には上りリンクでの通信を行わず、上りリンクでの通信時には下りリンクでの通信を行わない。一方、基地局装置１０１は、フルデュプレクス方式を採用し、上りリンクでの通信と下りリンクでの通信とを同時に行うことができる。すなわち、基地局装置１０１は、例えばＵＥ  Ａと下りリンクで通信している間に、ＵＥ  Ｂと上りリンクで通信を行うことができる。
【００１３】
ＣＥ  ｍｏｄｅで繰り返し通信を行う場合、あるＵＥとの間で多数回の繰り返し回数を使用して通信を行う場合、その通信のために長期にわたって無線リソースが占有され、その間に他のＵＥとの通信ができなくなる場合がありうる。また、このときに、他のＵＥとの通信がリアルタイム性を要する通信（例えばＶｏＬＴＥ（Ｖｏｉｃｅ  ｏｖｅｒ  Ｌｏｎｇ  Ｔｅｒｍ  Ｅｖｏｌｕｔｉｏｎ）である場合、リアルタイム性の要求を満たすことができないなどの問題が生じうる。同様に、優先して送信されるべきデータが、優先されない繰り返し回数の多い通信が開始された後にはその通信が完了するのを長期間にわたって待たなければならない場合があり、システムの運用上、不都合が生じる場合がある。
【００１４】
このため、本実施形態では、基地局装置１０１が、第１のＵＥとの通信のためにそれぞれ時間的に連続した１つ以上の第１の無線リソースを割り当てている状態において、その第１のＵＥとの通信より優先すべき第２のＵＥの通信が要求された場合に、割り当てられている第１の無線リソースに含まれる第２の無線リソースにおいて、第１のＵＥとの通信を行わずに、第２のＵＥとの通信を行うようにする。これによれば、相対的に優先度の低い通信のために無線リソースが割り当てられていても、優先されるべき通信の割り込みを許容し、その優先されるべき通信が完了するまでの遅延を抑制することができる。この様子を図２に例示する。
【００１５】
図２の（Ａ）は、まず、相対的に優先度の低い通信を行うＵＥ  Ａのために無線リソースの割り当てが行われた状態を示している。この割り当てでは、ＵＥ  Ａに対する下りリンクチャネル（ＭＰＤＣＣＨ（ＭＴＣ  Ｐｈｙｓｉｃａｌ  Ｄｏｗｎｌｉｎｋ  Ｃｏｎｔｒｏｌ  Ｃｈａｎｎｅｌ）及びＰＤＳＣＨ（Ｐｈｙｓｉｃａｌ  Ｄｏｗｎｌｉｎｋ  Ｓｈａｒｅｄ  Ｃｈａｎｎｅｌ））のための無線リソースが、それぞれ繰り返し回数に対応して４サブフレーム及び８サブフレーム分だけ用意されている。そして、この下りリンクデータの伝送中（例えばＭＰＤＣＣＨの２サブフレーム目）に、ＵＥ  Ｂに対して送信されるべき、優先度の高いトラヒックの送信要求が発生したものとする。この場合、従来では、ＵＥ  Ａへのデータ送信の完了後（例えば、トラヒックの送信要求の発生から１２サブフレーム後）まで、ＵＥ  Ｂのための無線リソースが割り当てられない。これに対して、本実施形態では、ＵＥ  Ｂとの通信が、ＵＥ  Ａとの通信より優先されるため、ＵＥ  Ａとの通信のために割り当てられた無線リソースを、ＵＥ  Ｂとの通信のために使用する。図２（Ｂ）では、トラヒックの送信要求が発生した次のサブフレームから、ＵＥ  Ｂとの通信のためのチャネル割り当てが行われた状態を示している。ここでは、ＵＥ  Ｂとの通信のためのＭＰＤＣＣＨとＰＤＳＣＨとして、それぞれ２つ及び４つのサブフレームが割り当てられた例を示している。このような割り当てによれば、優先度の高いトラヒックについては、送信要求の発生後すぐに無線リソースを割り当てることができる確率を向上させることができる。
【００１６】
なお、基地局装置１０１は、このような無線リソースの割り当てを行う際に、ＵＥ  Ａに対して上りリンクでの信号の送信のために割り当てていた無線リソースにおいて、ＵＥ  Ｂが上りリンクでの信号を送信することがないように、無線リソースの割り当てを調整する。すなわち、ＵＥ  Ａは、例えば図２（Ａ）のようにして一度割り当てられた無線リソースに従って上りリンクでのＨＡＲＱ応答を返信するように動作し、これを変更することはできない。したがって、基地局装置１０１は、ＵＥ  Ｂから同じタイミングでＨＡＲＱ応答等の上りリンク信号が受信されるような無線リソースの割り当てを行うと、上りリンク信号同士が干渉してしまう。このため、基地局装置１０１は、ＵＥ  Ｂに対して、このような干渉が発生するのを防ぐような無線リソースの割り当てを行う。例えば、図２（Ａ）のような割り当てが行われた場合に、ＵＥ  Ｂとの間でのＭＰＤＣＣＨ、ＰＤＳＣＨ、ＰＵＣＣＨ（Ｐｈｙｓｉｃａｌ  Ｕｐｌｉｎｋ  Ｃｏｎｔｒｏｌ  Ｃｈａｎｎｅｌ）の繰り返し送信回数が、それぞれ２回、４回、４回である場合や、これらより少ない回数である場合は、図２（Ｂ）のように、無線リソースが割り当てられる。一方、ＭＰＤＣＣＨ、ＰＤＳＣＨ、ＰＵＣＣＨのいずれかの繰り返し送信回数が上記の回数より多い場合には、基地局装置１０１において、上りリンク信号が同じタイミングで受信されることとなる。このため、図２（Ｂ）のような無線リソースの割り当てを行うことはできない。このため、基地局装置１０１は、例えば、図２（Ｃ）のように、上りリンク信号を同じタイミングで受信しないような所定のタイミングで、ＵＥ  Ｂのための無線リソースの割り当てを開始しうる。図２（Ｃ）の例では、ＭＰＤＣＣＨとＰＤＳＣＨの繰り返し送信回数が、それぞれ、４回及び８回である場合の例を示している。この場合、トラヒックの送信要求が発生した次のサブフレームからＭＰＤＣＣＨの送信を開始すると、ＵＥ  ＡによるＰＵＣＣＨの送信と、ＵＥ  ＢのＰＵＣＣＨの送信とのタイミングが一致してしまい、上りリンクで干渉が生じてしまう。このため、基地局装置１０１は、ＭＰＤＣＣＨの送信開始タイミングを遅らせて、ＵＥ  ＢのＰＵＣＣＨの送信タイミングがＵＥ  ＡのＰＵＣＣＨの送信期間の終了後となるようにする。
【００１７】
また、基地局装置１０１は、ＵＥ  Ｂに対してデータ信号を送信させるための無線リソースの割り当てのための下りリンク信号（ＭＰＤＣＣＨ）の送信のために、上述のようにして、無線リソースの割り当てを行いうる。すなわち、基地局装置１０１は、ＵＥ  Ｂから送信されるＰＵＳＣＨ（Ｐｈｙｓｉｃａｌ  Ｕｐｌｉｎｋ  Ｓｈａｒｅｄ  Ｃｈａｎｎｅｌ）が、ＵＥ  Ａが送信するＰＵＣＣＨに干渉しないようなタイミングで送信されるように、ＭＰＤＣＣＨを送信する。例えば、ＵＥ  Ｂとの通信におけるＭＰＤＣＣＨの繰り返し送信回数がＸ回で、ＰＵＳＣＨの繰り返し送信回数がＹ回であり、ＭＰＤＣＣＨの送信終了からＰＵＳＣＨの送信までのサブフレーム数がＣである場合、トラヒックの発生後すぐにＭＰＤＣＣＨを送信した場合、Ｘ＋Ｃ＋１サブフレーム目からＸ＋Ｃ＋Ｙサブフレーム目までがＰＵＳＣＨの送信タイミングとなる。このため、基地局装置１０１は、これらのＹ個のサブフレームの送信中に、ＵＥ  ＡによるＰＵＣＣＨの送信が行われない場合には、トラヒックの発生後すぐに、ＵＥ  Ａへ割り当てていた下りリンクの無線リソースをＭＰＤＣＣＨの送信のために使用すると決定する。一方、基地局装置１０１は、これらのＹ個のサブフレームの送信中に、ＵＥ  ＡによるＰＵＣＣＨの送信が行われる場合には、ＵＥ  ＡのＰＵＣＣＨの送信の完了後のタイミングでＵＥ  ＢのＰＵＳＣＨが送信されるように、ＭＰＤＣＣＨの送信タイミングを遅延させる。これにより、上りリンクで干渉が発生することを防ぎながら、優先されるべき通信を早期に実行することが可能となる。
【００１８】
なお、上述の例では、基地局装置１０１が、ＵＥ  ＡのＰＵＣＣＨと同じタイミングでＵＥ  ＢのＰＵＣＣＨ又はＰＵＳＣＨを受信しないように、ＵＥ  Ａに割り当てていた下りリンク無線リソースを、ＵＥ  Ｂの通信のために使用すると説明したが、これに限られない。すなわち、ＵＥ  ＡのＰＵＳＣＨについても、ＰＵＣＣＨと同様に、同じタイミングでＵＥ  Ｂの上りリンクが使用されないようにする。すなわち、ＵＥ  Ａの全ての上りリンクの通信のために割り当てられている第３の無線リソースにおいて、ＵＥ  Ｂの上りリンク通信が行われないように、ＵＥ  Ｂのための第４の無線リソースの割り当てが行われる。
【００１９】
なお、基地局装置１０１は、例えば、ＵＥ  ＡのＰＵＣＣＨやＰＵＳＣＨなどの上りリンク信号のために複数の無線リソースが割り当てられている場合に、その一部の無線リソース分だけの信号を受信した時点でその上りリンク信号の受信に成功した場合、その後はその上りリンク信号が干渉を受けても問題がないと判断することができる。このため、基地局装置１０１は、ＵＥ  Ａのための上りリンク信号に割り当てた無線リソースの一部においてその信号の受信に成功した場合、残りの一部においてはＵＥ  Ｂのための上りリンク信号が送信されることを許容して無線リソースの割り当てを行いうる。このときの無線リソースの割り当ての例を図３に示す。本例では、図３（Ａ）に示すように、ＵＥ  Ａに対して上りリンク無線リソースを割り当てるためのＭＰＤＣＣＨが４回繰り返して送信された後に、ＵＥ  ＡからのＰＵＳＣＨが１６回繰り返し送信される場合の例を示している。ここで、図２の例と同様に、ＭＰＤＣＣＨの２回目の送信時に、ＵＥ  Ｂのトラヒックの送信要求が発生したものとする。この場合、ＵＥ  Ｂの信号が繰り返し送信される限り、トラヒックの送信要求の発生直後にＵＥ  Ｂのために無線リソースを割り当てることはできない。これに対して、例えば、基地局装置１０１が、１６回繰り返し送信されるＵＥ  Ａからの上りリンク信号（ＰＵＳＣＨ）の受信に３回目で成功したとする。この場合、４回目以降に送信されるＵＥ  Ａからの上りリンク信号に対しては、干渉を与えても問題ないと言える。このため、基地局装置１０１は、ＵＥ  Ａからの上りリンク信号の受信に成功したと判定したことに応じて、それ以降は、ＵＥ  Ａの上りリンク信号送信期間であっても、ＵＥ  Ｂからの上りリンク信号が発生することを許容して、無線リソースの割り当てを行いうる。図３（Ｂ）は、ＵＥ  Ｂに対して上りリンク信号（ＰＵＳＣＨ）送信のための無線リソースを割り当てる例であり、ＵＥ  Ａの上りリンク信号の受信に成功した後に、ＰＵＳＣＨのための無線リソースを割り当てることを通知する下りリンク制御信号（ＰＤＳＣＨ）が送信される。図３（Ｃ）は、ＵＥ  Ｂに対して下りリンク信号（ＰＤＳＣＨ）を送信する無線リソースを割り当てると共に、その応答信号としてＰＵＣＣＨを送信させるための無線リソースを割り当てる例である。このようにすることで、優先度の低い通信を行うＵＥ  Ａに上りリンク無線リソースが長期間にわたって割り当てられている場合であっても、そのＵＥ  Ａからの信号の受信に成功した時点から、そのＵＥ  Ａからの信号に対する干渉を許容した無線リソースの割り当てが可能となるため、優先度の高い通信を行うＵＥ  Ｂに対して迅速に無線リソースを割り当てることが可能となる。
【００２０】
なお、この場合、ＵＥ  Ａが送信した上りリンク信号に対してＵＥ  Ｂが送信した上りリンク信号が干渉するが、同様に、ＵＥ  Ｂが送信した上りリンク信号に対してＵＥ  Ａが送信した上りリンク信号が干渉する。このため、基地局装置１０１は、ＵＥ  ＢからＵＥ  Ａの信号と同じタイミングで信号を受信した場合に、ＵＥ  Ｂの上りリンク信号を正確に受信するためには、ＵＥ  Ａからの信号の影響を抑制する必要がある。基地局装置１０１は、この時点でＵＥ  Ａからの信号の受信に成功しており、その信号を既知信号として扱うことができる。このため、基地局装置１０１は、受信信号からＵＥ  Ａの信号のレプリカを減算するなどの信号処理により、ＵＥ  Ｂの信号に対する干渉成分であるＵＥ  Ａの信号をキャンセルし、ＵＥ  Ｂからの信号を正確に受信することができる。図３（Ｂ）の例では、基地局装置１０１は、ＵＥ  ＢからのＰＵＳＣＨを受信するタイミングにおいて、ＵＥ  Ａからのすでに受信に成功している信号の成分を信号処理によって受信信号から除去して、ＵＥ  ＢからのＰＵＳＣＨを正確に受信することができるようにする。同様に、図３（Ｃ）の例では、基地局装置１０１は、ＵＥ  ＢからのＰＵＣＣＨを受信するタイミングにおいて、すでに受信成功しているＵＥ  Ａからの信号成分を信号処理によって受信信号から除去して、ＵＥ  ＢからのＰＵＣＣＨを正確に受信することができるようにする。これによれば、優先度の低いＵＥ  Ａからの上りリンク信号の成功後に、その上りリンク信号と同じタイミングで受信されるＵＥ  Ｂからの上りリンク信号について、干渉の影響を低減して、受信に成功する確率を向上させることができる。
【００２１】
基地局装置１０１は、ＵＥ  Ｂとの通信を行うために無線リソースを使用する間、ＵＥ  Ａ宛ての信号を送信しない。このとき、ＵＥ  Ａは、自装置が割り当てられた無線リソースの状態が例えば図２（Ａ）のようなものであると認識しているため、その無線リソースでＵＥ  Ｂ宛てのデータが送信されると、少なくともその無線リソースではデータの受信に失敗することとなる。しかしながら、例えば図２（Ｂ）のＭＰＤＣＣＨの最初の２サブフレーム分とＰＤＳＣＨの最後の４サブフレーム分は、ＵＥ  Ａ用のデータが送信されているため、ＵＥ  Ａは、この部分の受信により、信号の受信に成功することができる場合もある。一方、ＵＥ  Ｂへの無線リソースの割り当てにより、ＵＥ  Ａの通信に使用することができる無線リソースが非常に少なくなった場合などでは、ＵＥ  Ａの通信が成功する確率は非常に低くなる。このため、基地局装置１０１は、例えばＵＥ  Ｂへの無線リソースの割り当てによる、ＵＥ  Ａの通信品質の劣化の程度を推定して、その程度に応じて、ＵＥ  Ｂへは割り当てられない無線リソースでＵＥ  Ａへの信号を送信するか否かを決定しうる。すなわち、基地局装置１０１は、例えば、ＵＥ  Ｂへの無線リソースの割り当てによってＵＥ  Ａが使用可能な無線リソースが大きく減少する場合には、通信品質の劣化が大きいと推定し、その無線リソースにおいてＵＥ  Ａ宛ての信号を送信しないようにしうる。これにより、ＵＥ  Ａが受信に成功できないことが予想される信号を不必要に送信することによる、他の信号への干渉を抑制することが可能となる。また、このときに、基地局装置１０１は、例えば第３の端末装置との通信のためにこの使われなくなった無線リソースを使用してもよい。これにより、システム全体としての周波数利用効率を改善することができる。
【００２２】
なお、基地局装置１０１は、ＵＥ  Ｂのトラヒックの送信要求が発生した場合に、ＵＥ  Ｂとの通信がＵＥ  Ａとの通信より優先されるべきか否かを判定し、ＵＥ  Ｂの方が優先されるべきと判定した場合に上述の処理を実行しうる。なお、基地局装置１０１は、例えば、ＵＥ  Ｂとの通信が、緊急呼である場合と、リアルタイム通信である場合と、許容遅延を超えている場合との少なくともいずれかの場合に、ＵＥ  Ａとの通信より優先すべきと判定しうる。なお、基地局装置１０１は、ＵＥ  Ａとの通信が緊急呼である場合と、リアルタイム通信である場合と、許容遅延を超えている場合との少なくともいずれかの場合には、ＵＥ  Ｂとの通信が緊急呼である場合と、リアルタイム通信である場合と、許容遅延を超えている場合との少なくともいずれかの場合であっても、ＵＥ  Ｂを優先すると判定しなくてもよい。
【００２３】
また、基地局装置１０１は、ＵＥ  Ａとの通信において繰り返し送信が用いられない場合や、繰り返し送信回数が所定数以下である場合には、上述の処理を実行しなくてもよい。このような場合には、上述のようにしてＵＥ  Ｂの通信を割り込ませなくても、ＵＥ  Ｂに対して通信機会を与えるまでの期間を十分に短く抑えることができるからである。また、このような場合にＵＥ  Ｂとの通信を割り込ませないようにすることで、ＵＥ  Ａとの通信に失敗して、その通信を再度やり直すことを防ぐことができる。
【００２４】
（装置構成）
続いて、上述のような処理を実行する基地局装置１０１の構成例について図４を用いて説明する。基地局装置１０１は、一例において、プロセッサ４０１、ＲＯＭ４０２、ＲＡＭ４０３、記憶装置４０４、及び通信回路４０５を含んで構成される。プロセッサ４０１は、汎用のＣＰＵ（中央演算装置）や、ＡＳＩＣ（特定用途向け集積回路）等の、１つ以上の処理回路を含んで構成されるコンピュータであり、ＲＯＭ４０２や記憶装置４０４に記憶されているプログラムを読み出して実行することにより、基地局装置１０１の全体の処理や、上述の各処理を実行する。ＲＯＭ４０２は、基地局装置１０１が実行する処理に関するプログラムや各種パラメータ等の情報を記憶する読み出し専用メモリである。ＲＡＭ４０３は、プロセッサ４０１がプログラムを実行する際のワークスペースとして機能し、また、一時的な情報を記憶するランダムアクセスメモリである。記憶装置４０４は、例えば着脱可能な外部記憶装置等によって構成される。通信回路４０５は、例えば、有線通信又は無線通信用の回路によって構成される。基地局装置１０１は、ＵＥ  ＡやＵＥ  Ｂとの通信のための通信回路４０５として、例えば、ＭＴＣとＬＴＥとのそれぞれのためのベースバンド回路及びＲＦ回路等とアンテナとを含んで構成される。また、基地局装置１０１の通信回路４０５は、例えば、他の基地局装置やネットワークノードとの（有線または無線）通信を行うための回路を含んでもよい。なお、図４では、１つの通信回路４０５が図示されているが、基地局装置１０１は、複数の通信回路を有しうる。
【００２５】
図５に、基地局装置１０１の機能構成例を示す。基地局装置１０１は、一例において、通信部５０１及び通信制御部５０２を含んで構成される。また、通信制御部５０２は、例えば、リソース割当部５０３、優先度判定部５０４、及び干渉除去部５０５を含んで構成される。
【００２６】
通信部５０１は、ＵＥ  ＡやＵＥ  Ｂとの間で通信を行うための機能部である。通信制御部５０２は、通信部５０１による通信を制御する。例えば、通信制御部５０２は、ＵＥ  ＡやＵＥ  Ｂとの通信における繰り返し送信回数の決定や、無線リソースの割り当てを行い、各ＵＥとの間で、そのＵＥに割り当てた無線リソースを用いて通信を行うように通信部５０１を制御する。
【００２７】
リソース割当部５０３は、ＣＥ  ｍｏｄｅを用いる場合の繰り返し送信を考慮して周波数／時間の無線リソースを、基地局装置１０１の展開するセル内に位置するＵＥに対して割り当てる。また、リソース割当部５０３は、第１のＵＥとの優先度の低い通信のために時間的に連続する無線リソースを割り当てている際に、第２のＵＥとの優先度の高い通信が要求された場合に、その割り当てた無線リソースの少なくとも一部の無線リソースにおいて、第１のＵＥと通信を行わず、第２のＵＥと通信を行うように通信部５０１を制御する。すなわち、優先度の高い通信を、優先度の低い通信に割り込ませるような無線リソース割当制御が実行される。また、リソース割当部５０３は、このとき、第１のＵＥの上りリンク通信のために割り当てられている無線リソースにおいて、第２のＵＥが上りリンク信号を送信しないように、または、第１のＵＥの上りリンク通信が成功した後にのみその無線リソースにおいて第２のＵＥの上りリンク通信を許容するように、無線リソース割当を行う。具体的な処理の例については、上述の通りであるため、ここでの説明については省略する。
【００２８】
優先度判定部５０４は、第２のＵＥについてトラヒックの送信要求が発生した場合に、その時点においてすでに無線リソースが割り当てられている第１のＵＥとの間の通信と、第２のＵＥとの間の通信とのどちらが優先されるべきかを判定する。第２のＵＥとの通信が優先されるべきと優先度判定部５０４が判定した場合には、リソース割当部５０３が、上述のように、第２のＵＥの通信を第１のＵＥの通信に割り込ませる等の処理を実行する。一方、第１のＵＥとの通信が優先されるべきと優先度判定部５０４が判定した場合には、リソース割当部５０３は、第２のＵＥとの通信を第１のＵＥとの通信に割り込ませず、第１のＵＥとの通信の後に第２のＵＥとの通信が行われるように無線リソース制御を実行する。
【００２９】
干渉除去部５０５は、リソース割当部５０３によって、第１のＵＥの上りリンク信号と第２のＵＥの上りシンク信号とが同時に受信されるような無線リソース割当が行われた場合に、第２のＵＥの信号の受信精度を向上させるために、第１のＵＥの上りリンク信号を干渉成分として除去する。干渉除去部５０５は、第１のＵＥの上りリンク信号と第２のＵＥの上りシンク信号とが同時に受信される場合には、第１のＵＥの上りリンク信号の受信に成功しているため、例えば、その受信に成功した信号内のデータを用いて、レプリカ信号を生成し、受信信号から除去する。より具体的には、第１のＵＥの信号内のデータに対して、そのデータを含んだ信号を送信する際にＵＥ  Ａが行う誤り訂正符号化や変調を施し、それらの処理後の信号に対して、第１のＵＥから基地局装置１０１までの伝送路に関する伝送路推定値を乗算することによって、第１のＵＥからの上りリンク信号のレプリカが生成される。そして、これを受信信号から減算することにより、第１のＵＥからの上りリンク信号の成分が受信信号から取り除かれる。このため、第２のＵＥからの上りリンク信号に対する第１のＵＥからの上りリンク信号の干渉の影響を低減することができる。
【００３０】
（処理の流れ）
最後に、上述の基地局装置１０１が実行する処理の流れについて概略的にまとめる。図６は、基地局装置１０１が実行する処理の流れを概略的に説明する図である。基地局装置１０１は、新たなトラヒックの送信要求が発生した場合（Ｓ６０１でＹＥＳ）に、以下の処理を実行する。そのような要求が存在しない場合には（Ｓ６０１でＮＯ）、図６の残りの処理は実行されない。基地局装置１０１は、新たなトラヒックの送信要求が発生した時点で、すでに無線リソースを割り当て済みのＵＥが存在するか否かを判定する（Ｓ６０２）。基地局装置１０１は、無線リソースを割り当て済みのＵＥが存在しない場合（Ｓ６０２でＮＯ）は、発生した新たなトラヒックについて、従来と同様にして無線リソースを割り当てれば足りるため、図６の処理を終了する。一方、基地局装置１０１は、無線リソースを割り当て済みのＵＥが存在する場合（Ｓ６０２でＹＥＳ）、その割り当て済みのＵＥの通信と新たなトラヒックの通信との優先度を比較する（Ｓ６０３）。そして、基地局装置１０１は、新たなトラヒックの通信の優先度の方が低いと判定した場合（Ｓ６０３でＮＯ）は、その新たなトラヒックを割り込ませずに、割り当て済みのＵＥの通信を終了後に無線リソースを割り当てて通信を行うため、処理を終了する。一方、基地局装置１０１は、新たなトラヒックの通信の優先度の方が高いと判定した場合（Ｓ６０３でＹＥＳ）、割り当て済みの無線リソースを用いて、新たに発生したトラヒックの通信を実行する（Ｓ６０４）。すなわち、新たに発生したトラヒックの通信を、すでに無線リソースの割り当てられた通信に対して割り込ませる。なお、上述の各処理についての詳細は上述のとおりであるため、ここでは繰り返さない。
【００３１】
なお、基地局装置１０１は、新たに発生したトラヒックの方が優先度が高い場合であっても、緊急呼やリアルタイム通信である場合、又はそのトラヒックの許容遅延を超えている場合などの所定の条件を満たさない限りは、割り込みを許容しないでもよい。
【００３２】
このような処理により、優先度の低い通信が完了しないことによって、優先度の高い通信を実行することができない状態となることを防ぎ、又はその状態が長期化することを防ぐことが可能となる。
【図１】
2020036115.tif 000003
【図２】
2020036115.tif 000004
【図３】
2020036115.tif 000005
【図４】
2020036115.tif 000006
【図５】
2020036115.tif 000007
【図６】
2020036115.tif 000008